(57)【要約】【課題】人感センサが反応する毎にセンター装置や携帯電話への通知をおこない、人感センサの検出が誤動作であるかまたは居住者によるものかは関係なくおこなわれる。またコントローラやカメラ等を設置して画像確認までおこなわないと正確に判定できない。【解決手段】人感センサ１Ａの信号を検知する検知手段１１と、人感センサ１Ａが検知した際にセンター装置３Ａへ通知する通知手段１２と、センター装置３Ａからの電話呼出しを検知する呼出検知手段１３と、電話回線５Ａの使用状態を検出する回線検出手段１４と、検知手段１１の検知信号と呼出検知手段１３で検知中の回線検出手段１４の検出信号とから侵入者が入ったかどうかを判断する侵入者判定手段１５とを備え、センター装置から宅内への電話通知時に、侵入者は電話機を取らず、居住者が電話機を取る事を利用して、回線状況を確認することで容易に侵入者であるかどうかの判定が可能となる。【選択図】図１
2006133943.tif 000002
【特許請求の範囲】
【請求項１】
家屋内に設けたセンサで侵入検知した場合に通信制御装置に通知し、センター装置に伝送する防犯システムであって、前記通信制御装置は、前記センサの信号を検知する検知手段と、前記センサが検知した際にセンター装置へ通知する通知手段と、前記センター装置からの電話呼出しを検知する呼出検知手段と、電話回線の使用状態を検出する回線検出手段と、前記検知手段の検知信号と前記呼出検知手段で検知後のときの回線検出手段の検出信号とから侵入者が入ったかどうかを判断する侵入者判定手段とを備えた防犯システム。
【請求項２】
侵入者判定手段をさらに、センター装置からの侵入検知宅への電話呼出前後の検知手段で検知するセンサからの検出信号と、回線検出手段の回線使用状況とから侵入者の判定をおこなう比較判定手段を備え、電話呼出前後のセンサの状況で侵入者を正確に判断する請求項１記載の防犯システム。
【請求項３】
呼出検知手段にさらに電話呼出のリング回数をカウントする回数判定手段とを備え、センター装置からの電話呼出のリング回数と回線検出手段の検出信号から電話機の留守番電話応答かどうかを判定する請求項１から２記載のいずれかの防犯システム。
【請求項４】
回線検出手段で回線使用を検出した際に、特定の番号を入力する応答を検出した場合に侵入者でなく顧客であると判定する暗証番号判定手段とを備え、暗証番号を入力することで侵入者であるか否かを判断する請求項１から３記載のいずれかの防犯システム。
【請求項５】
請求項１から４いずれか記載の防犯システムの少なくとも一部をコンピュータに実行させるためのプログラム。
【発明の詳細な説明】
【技術分野】
【０００１】
本発明は、電話回線を利用し、センサの検出信号から侵入者検出を正確に判断し、誤検出防止をおこなう防犯システムおよびそのプログラムに関する。
【背景技術】
【０００２】
従来の防犯システムとして、図３で示すような防犯方法及び防犯装置があった（例えば特許文献１）。この特許文献１の例について図３を用いて説明する。
【０００３】
図３において、家主等は、次世代型携帯電話１１を所持し、警察や警備会社へは、電話により通報するとともに、防犯装置１は、自動ダイアリング装置８を備えている場合で、家主等の自宅に設置されている防犯装置１と、家主等の自宅への侵入者（以下、侵入者と記す）を検知するためのセンサ部２を備え、複数のセンサより構成されている。
【０００４】
コントローラ部３で宅内防犯装置１全体の制御を行い、画像情報を取得するカメラ部４からの画像情報を記録装置５で記録し、カメラ部４からの画像情報を表示装置６で表示する。コントローラ部３からの制御信号により、警報装置７は侵入者に対し警報を発したり、威嚇を行ったりする。自動ダイアリング装置８は、コントローラ部３からの制御信号により、予め設定された電話番号を呼び出して警報を送るように構成されている。
【０００５】
９はインターネット接続装置で、不正アクセス防止装置１０は、家主等や家主等が許可した者以外の第三者による宅内防犯装置１に対する不正なアクセスを防止する。１１は家主等が所持する、インターネットに接続可能で、且つ動画再生可能な次世代型携帯電話（以下、次世代型携帯電話と記す）である。警察や警備会社に設置されているコンピュータ等の専用端末１３は、家主等からの通報により、宅内防犯装置１に対してインターネットを介してアクセスし、画像情報を要求するように設定されている構成とする。
【０００６】
以下に、その動作について説明する。自動ダイアリング装置８には、侵入者を検知した際、家主等への警報の電話連絡先である次世代型携帯電話１１の電話番号が登録されている。そこで、センサ部２が、ピッキングやガラスを割られた場合や、若しくはその他の方法によって、侵入者が特定の場所に侵入したこと等をセンサ部２の各種センサで検知すると、この侵入者に基づくセンサ部２からの検知信号は、コントローラ部３に入力される。
【０００７】
コントローラ部３は、センサ部２からの検知信号を受け取ると、カメラ部４で撮像された画像情報を記録装置５に記録するとともに、表示装置６にも表示する。また、コントローラ部３は、センサ部２からの侵入者による検知信号を受け取ると、警報装置７および自動ダイアリング装置８に警報を発信するための警報発信用の制御信号を送る。
【０００８】
警報装置７がコントローラ部３からの警報発信用の制御信号を受け取ると、侵入者に対して、例えば、警報ブザーを鳴らす、フラッシュライトを点灯する等の威嚇警報を発する。
【０００９】
一方、自動ダイアリング装置８は、コントローラ部３からの警報発信用の制御信号を受け取ると、家主に対し侵入者を検知したことを通報するために、予め設定されている次世代型携帯電話１１の電話番号へ電話回線を介して電話による警報を送信する。
【００１０】
家主等が所持する次世代型携帯電話１１が電話により警報を受け取ると、家主等は次世代型携帯電話１１のインターネット接続機能を用いて、インターネットに接続し、コントローラ部３にアクセスして、カメラ部４からの画像情報を要求する。
【００１１】
家主等は、この配信された画像情報を次世代型携帯電話１１で観察して、自宅内の状況、進入者の有無を確認し、侵入者がいると家主等が判断した場合には、その後、警察や警備会社に電話で通報する。
【００１２】
家主等から電話による通報を受信した警察や警備会社は、コンピュータ等の専用端末１３を用いてインターネットに接続し、インターネット接続装置９及び不正アクセス防止装置１０を介してコントローラ部３に画像情報の要求のアクセスを行う。
【００１３】
コントローラ部３は、カメラ部４からの画像情報をインターネット接続装置９からインターネットを介して画像情報の要求を行った警察や警備会社の専用端末１３へ配信する。この配信された画像情報に基づいて、警察や警備会社では、侵入者を捕獲するための適切な手配を行うことが出来る。
【特許文献１】特開２００３−３１９０９４号公報
【発明の開示】
【発明が解決しようとする課題】
【００１４】
しかしながら、上述した防犯方法及び防犯装置では、侵入者検知を誤報無く検出するために家屋内にカメラ部、コントローラ部を設置した上に、カメラ画像の確認を迅速におこなうためにインターネット網に接続可能とする次世代携帯電話という高価な設備導入と、基本料金や通信費などの月々の高額な費用の投資が発生し、侵入者などの発生頻度の低い出来事の誤報のために投資するには経済性が非常に劣る。
【００１５】
また、侵入者を検知した際に、都度、カメラ部でカメラ撮影をおこない、誤報かどうかを家主などが常に確かめなければならないというわずらわしさもある。
【００１６】
本発明は、前記従来の課題を解決するもので、不在時に侵入者であるかどうか家主の関係者であるかどうかを容易で正確に判定し、画像の確認無しに自動的に侵入者かどうかを判定できる防犯システムおよびそのプログラムを提供することを目的とする。
【課題を解決するための手段】
【００１７】
上記課題を解決するために、本発明においては、家屋内に設けたセンサで侵入検知した場合に通信制御装置に通知し、センター装置に伝送する防犯システムであって、前記通信制御装置は、前記センサの信号を検知する検知手段と、前記センサが検知した際にセンター装置へ通知する通知手段と、前記センター装置からの電話呼出しを検知する呼出検知手段と、電話回線の使用状態を検出する回線検出手段と、前記検知手段の検知信号と前記呼出検知手段で検知中のときの回線検出手段の検出信号とから侵入者が入ったかどうかを判断する侵入者判定手段とを備える構成とした。
【００１８】
これによって、侵入者が入ってきた際にセンサの検知信号により、センター装置に通知され、その通知に準じてセンター装置が、侵入者検知宅へ電話をダイヤルし、センター装置からの呼出を検出し、その際に電話の回線使用状態を回線検出手段で監視することで、侵入者であれば電話を取らない、家主または関係者であれば電話を取ることで、回線状況が使用状態となるかどうかで侵入者であるかどうかを正確で簡単に判断することができ、通信制御装置が侵入者判定手段の判定から判断し、家主や警備会社、警察などへ通報することができる。
【００１９】
また、回線検出手段と侵入者判定手段で侵入者かどうか判断することで、カメラやコントローラなどの高価な設備は不要で経済性も優れている。
【発明の効果】
【００２０】
以上で説明したように、本発明によれば、電話回線を利用し、電話回線の使用状態を監視する回線検出手段により、侵入者検知後にセンター装置から侵入者宅に電話をダイヤルすることで侵入者宅に侵入者がいれば電話の受話器を取らない、家主の関係者が家にいれば電話の受話器を取るため、電話の回線状況を監視することで通信制御装置が簡単で正確に侵入者かどうかを判定できるという経済性、利便性に優れている。
【発明を実施するための最良の形態】
【００２１】
第１の発明は、家屋内に設けたセンサで侵入検知した場合に通信制御装置に通知し、センター装置に伝送する防犯システムであって、前記通信制御装置は、前記センサの信号を検知する検知手段と、前記センサが検知した際にセンター装置へ通知する通知手段と、前記センター装置からの電話呼出しを検知する呼出検知手段と、電話回線の使用状態を検出する回線検出手段と、前記検知手段の検知信号と前記呼出検知手段で検知中のときの回線検出手段の検出信号とから侵入者が入ったかどうかを判断する侵入者判定手段とを備えることにより、センサが検出した際、センター装置から検出した家へ電話通知をおこない呼出（リンギング）をおこなう。その際に侵入者がいる場合は受話器を取らないため電話回線がオンフックのままに保持され、家主または関係者がいる場合は電話機をとるため電話回線がオフフックされることとなり、回線検出手段の回線状態で侵入者であるかどうか判断することができ、容易で経済性に優れた侵入者検知が可能となる。
【００２２】
第２の発明は、特に、第１の発明の侵入者判定手段をさらに、センター装置からの侵入者宅への呼出通知前後の検知手段で検知するセンサからの検出信号と、回線検出手段の回線使用状況とから侵入者の判定をおこなう比較判定手段を備えることにより、センサが万が一誤検出した場合であっても、人感センサ検出後の電話通知後にさらにセンサが検出するかどうかを確認し、電話通知前と後の２回ともセンサが検出した場合に侵入者ありと判断することとなり、センサによる侵入者検知をより正確におこなうことができる。
【００２３】
第３の発明は、特に、第１〜第２の発明の呼出検知手段にさらに電話呼出のリンギング回数をカウントする回数判定手段とを備えることにより、リンギングの規定回数を超えてオフフックした場合は、宅内の電話機の留守番電話機能によりオフフックしたもので居住者が受話器を取ったものではないと判断し、侵入者と判定することとなり、留守電機能のある電話機であっても電話機の留守電モードになるまでのリンギング回数を設定しておくことで留守番電話機能によるオフフックの誤判定を防止し、侵入者かどうかの判定を正確におこなうことができる。
【００２４】
第４の発明は、特に、第１〜第３の発明のいずれか１つの発明の回線検出手段に回線使用を検出した際に、特定の番号を入力し、その番号を検出した場合に、侵入者でなく居住者であると判定する暗証番号判定手段とを備えることにより、特定番号を知り得る人のみ侵入者でないと判断することが可能となり、侵入者が電話機を取り、例えオフフックしたとしても暗証番号を入力できないまたは間違えることで侵入者であることを正確に判断することができる。
【００２５】
第５の発明は、第１〜４の発明のいずれか記載の防犯システムの機能の少なくとも一部をコンピュータに実行させるためのプログラムである。そして、プログラムであるので、電気・情報機器、コンピュータ、サーバー等のハードリソースを協働させて本発明の防犯システムの少なくとも一部を容易に実現することができる。また記録媒体に記録したり通信回線を用いてプログラムを配信したりすることでプログラムの配布・更新やそのインストール作業が簡単にできる。
【００２６】
また、上記のような防犯システムは、侵入者を正確に容易に判定するもので、侵入者判定後は、侵入者がいることをセンター装置、居住者、予め指定した通知者、警備会社、警察等への通知をすることは言ううまでもなくおこなうことが可能である。また、宅内にカメラ装置を設け、画像を撮影するシステムに本発明の防犯システムを用いることでより正確に侵入者の特定が可能で、侵入者以外の居住者を撮影するような誤動作を防止することも可能である。
【００２７】
以下、本発明の実施の形態について、図面を参照しながら説明する。なお、この実施の形態によって本発明が限定されるものではない。
【００２８】
（実施の形態１）
図１および図２は本発明の実施の形態１の防犯システムの構成図を示すものである。
【００２９】
図１は防犯システムの構成を示すもので、図２は防犯システムのフローチャート図を示すものである。
【００３０】
図１において、１００は防犯装置となる機能を搭載した通信制御装置で、１１は人感センサ１Ａの検知信号を入力する検知手段で、１２は人感センサ１Ａで検出した場合にセンター装置３Ａに電話回線を利用して通知する通知手段である。
【００３１】
呼出検知手段１３は、電話呼出であるかどうかを判断し、その呼出回数（リンギング回数）を規定値であるかどうかを判断する。呼出検知手段１３内部の回数判定手段１３１は呼び出し回数をカウントし、回数を規定値であるかどうかを判定する。回数設定手段１３２は呼出回数の規定値を任意に設定する。
【００３２】
回線検出手段１４は、センター装置３Ａから公衆回線を介してダイヤルし、呼出中（リンギング中）に家屋内の電話機４Ａのオンフックまたはオフフック等の回線状態を検出する。回線検出手段１４内部の暗証番号判定手段１４１は、電話機４Ａから入力された番号が暗証番号と一致するかどうかを判定する。暗証番号設定手段１４２は任意に暗証番号の値を設定変更する。
【００３３】
侵入者判定手段１５は、検知手段１１からの信号入力と呼出検知手段１３の回数判定結果と回線検出手段１４の暗証番号判定結果とから侵入者であるかどうかを判定する。侵入者判定手段１５内部の比較判定手段１５１は呼出検知手段１３のセンター装置３Ａからの呼出検知前後における検知手段１１の検出信号とを比較して、呼出検知信号の前後とも人感センサ検知があるかどうかを判定する。
【００３４】
１Ａは宅内に設置した人感センサ、２Ａは公衆回線網、３Ａは通信制御装置と公衆回線網２Ａを介して通信するセンター装置、４Ａは宅内に設置されている電話機で留守電機能がある場合も含む。５Ａは宅内に引き込まれた電話回線で構成する。
【００３５】
図２において、防犯装置の侵入者が検知されたかどうかの判定をおこなう侵入者判定手段処理部を示す。Ｓ２は人感センサ１Ａが検知したかどうかを判定する人感センサ検知判定部で、Ｓ３は人感センサ検知判定処理部Ｓ２で検知した場合にセンター装置３Ａへの通知処理をおこなうセンター装置通知処理部で、Ｓ４は人感センサ検知判定処理部Ｓ２で検知しない場合に継続して人感センサ検知待ちの状態を維持する（人感センサ検知判定処理部Ｓ２の前の状態）人感センサ検知待処理部である。
【００３６】
Ｓ５は通知処理部Ｓ３でセンター装置３Ａに通知した後、センター装置３Ａからの電話呼出（リンギング）を受信処理する回線検出処理部で、Ｓ６は電話機４Ａがオフフックされたかを検知するオフフック処理部、Ｓ７は電話呼出（リンギング）の回数が回数設定手段１３２の値を超えているかどうかを判断する呼出回数判定処理部で、Ｓ８は呼出回数判定処理部Ｓ７で呼出回数が規定値以下の場合に在宅者がオフフックしたと判定する在宅者処理部で、Ｓ９は在宅者処理部Ｓ８で在宅者がオフフックした判定した処理に、電話機４Ａから暗証番号を入力して正しいかどうかを再確認する暗証番号判定処理部である。
【００３７】
Ｓ１０は暗証番号判定処理部Ｓ９で暗証番号が正しい場合に人感センサ１Ａが検知した人は在宅者または関係者であり、侵入者ではなく異常が無かったと確定する侵入者無し判定処理部である。
【００３８】
Ｓ１１はオフフック処理部Ｓ６でオフフックされなかった場合と呼出回数判定処理部Ｓ７で電話呼出（リンギング）の回数が回数設定手段１３２の値を超えていた場合と暗証番号判定処理部Ｓ９で暗証番号が間違っていた場合に侵入者有りと判定する侵入者判定処理部で、Ｓ１２は人感センサ１Ａがセンター装置３Ａからの電話呼出以後に再度検知したかどうかを判断する電話通知後２回目の人感センサ検知判定部である。
【００３９】
Ｓ１３は電話通知後２回目の人感センサ検知判定部Ｓ１２で人感センサ１Ａが検知した場合で侵入者有りと確定する侵入者検知確定処理部で、Ｓ１４は電話通知後２回目の人感センサ検知判定部Ｓ１２で人感センサ１Ａが再検知しなかった場合で人感センサ１Ａの誤検知であると判定し、再度人感センサ１Ａの検知待ち状態となる誤検知判定処理部である。
【００４０】
次に、このような構成の防犯システムの動作、作用について説明する。
【００４１】
図１に示すように、宅内の居住者が外出中で通信制御装置１００が侵入者警戒状態と通常状態と設定変更できるようになっている場合で、回数設定手段１３２の回数は電話機４Ａの留守番電話の応答によりオフフックする回数同じとする。
【００４２】
人感センサ１Ａが居住者不在中に、検出した場合に検出信号を検出手段１１が受信し（フローチャートＳ２）、通知手段１２により、センター装置３Ａに公衆回線２Ａを介して通知する（フローチャートＳ３）。
【００４３】
さらに、センター装置３Ａは、通知手段１２からの通知信号を受信の後、折返して当該の通信制御装置１００に対して公衆回線を介してダイヤルし、呼出（リンギング）をおこなう（フローチャートＳ５）。
【００４４】
通信制御装置１００は前記センター装置３Ａからの呼出（リンギング）を呼出検知手段１３で受信し、センター装置３Ａからの電話であるかどうかを確認し、呼出回数をカウントする。同時に、回線検出手段１４で宅内の電話機４Ａがオフフックするかどうかの検出をおこない（フローチャートＳ６）、前記呼出検知手段１３の検出判定と回線検出手段１４の検出判定および検知手段１１からの検出信号を侵入者判定手段１５に入力し、侵入者かどうかを侵入者判定手段１５で判定する。
【００４５】
次に前記侵入者判定手段１５に入力された信号から侵入者判定の方法を図１および図２により説明をする。
【００４６】
センター装置３Ａからの通信制御装置１００への呼出のダイヤル中に（フローチャートＳ５）、回線検出手段１４でオフフックしたかどうかを判定する（フローチャートＳ６）。
【００４７】
電話機４Ａが留守番電話機能を設定していないまたは留守番電話機能を持たない場合で、オフフックしない場合には、侵入者有りと判定する（フローチャートＳ１１）。さらに侵入者有りと判定した場合には、センター装置３Ａからの通信制御装置１００への呼出以後、再度人感センサ１Ａが検出したかどうかを判定し（フローチャートＳ１２）、検出した場合には侵入者有りと確定する（フローチャートＳ１３）。逆に人感センサ１Ａを検出しない場合は、人感センサ１Ａの誤検出として再度人感センサ１Ａの検出待ち状態に戻る（フローチャートＳ１４）。
【００４８】
また、オフフックした場合には、呼出回数が回数設定手段１３２の値以上かどうかを回数判定手段１３１で判断する（フローチャートＳ７）。呼出回数以下で回線検出手段１４が検出した場合には、居住者または侵入者が電話機４Ａの受話器をとったと判断し（フローチャートＳ８）、電話機４Ａからの番号入力内容を検出し、番号入力内容が暗証番号設定手段１４２の値と一致するかまたは入力が無いかを暗証番号判定手段１４１で判定する（フローチャートＳ９）。その結果、暗証番号設定手段１４２の値と一致する場合は居住者と判定する（フローチャートＳ１０）。
【００４９】
逆に呼出リング数が規定回数以上の場合には、侵入者有りと判定する（フローチャートＳ１１）。さらに侵入者有りと判定した場合には、センター装置３Ａからの通信制御装置１００への呼出以後、再度人感センサ１Ａが検出したかどうかを判定し（フローチャートＳ１２）、検出した場合には侵入者有りと確定する（フローチャートＳ１３）。逆に人感センサ１Ａを検出しない場合は、人感センサ１Ａの誤検出として再度人感センサ１Ａの検出待ち状態に戻る（フローチャートＳ１４）。
【００５０】
暗証番号設定手段１４２と不一致または番号入力が無い場合には侵入者と判定する。さらに侵入者有りと判定した場合には、センター装置３Ａからの通信制御装置１００への呼出以後、再度人感センサ１Ａが検出したかどうかを判定し（フローチャートＳ１２）、検出した場合には侵入者有りと確定する（フローチャートＳ１３）。逆に人感センサ１Ａを検出しない場合で、回線検出手段１４で暗証番号入力が無い場合は、人感センサ１Ａの誤検出として再度人感センサ１Ａの検出待ち状態に戻る（フローチャートＳ１４）。
【００５１】
呼出回数以上で回線検出手段１４が検出した場合には（フローチャートＳ７）、電話機４Ａの留守番電話機能が動作してオフフックしたと判断し、侵入者有りと判定する（フローチャートＳ１１）。
【００５２】
さらに、センター装置３Ａからの通信制御装置１００への呼出以後、人感センサ１Ａが検出して検出手段１１から検出信号がある場合に（フローチャートＳ１２）、侵入者有りと判定を確定する（フローチャートＳ１３）。
【００５３】
逆にセンター装置３Ａからの通信制御装置１００への呼出以後に検出手段１１からの検出信号が一定時間無い場合は（フローチャートＳ１２）、人感センサ１Ａの誤検出として侵入者無しと判定し、再度最初の人感センサ１Ａの検出待ち状態に戻る（フローチャートＳ１４）。
【００５４】
人感センサ１Ａが全く検出しない場合は、検出待ちの状態とする（フローチャートＳ４）。
【００５５】
なお、ここでは、暗証番号の入力を電話機４Ａから入力し、回線検出手段１４で暗証番号を判断するようにしているが、暗証番号の判定機能を通信制御装置１００にスイッチやキーボードまたは表示装置を設け、そこから入力するようにしても同じ機能となる。
【００５６】
また、センター装置３Ａから通信制御装置１００への電話通知をおこなった場合に、センター装置３Ａ側の電話料金を抑制するために、オフフックおよび暗証番号確認が終了する一定時間経過後、センター装置３Ａ側が通話を遮断することはシステムの運用上当然おこなうものである。
【００５７】
また、ここでは、電話機４Ａを留守番電話機能としたが、留守番電話機能が無い場合には、呼出回数に関係なく、電話機４Ａのオフフックするかどうかで判定をすることも可能である。また、センター装置３Ａからの呼出の前後の人感センサ１Ａの検出信号により前後でともに検出した場合にのみ侵入者ありと判定したが、前後の判定を無くし、最初の人感センサ１Ａの検出のみで判断をおこなっても良い。また、さらに判定を簡単におこなう場合には、暗証番号判定手段１４１の判定が無い場合でも侵入者の判定が可能である。
【００５８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【００５９】
なお、本実施の形態では人感センサで説明したがこれに限るものでなく、侵入者を検知するセンサであればよい。たとえば窓開閉センサなどである。
【００６０】
また、侵入者判定手段を通信制御装置に備えて説明したが、侵入者の判定はセンター装置でおこなうようにしてもよい。暗証番号判定手段も同じである。
【００６１】
なお、センター装置からの電話呼出を検知する呼出検知手段は、ナンバーディスプレイ等発呼側が特定できる通信プロトコルによって、センター装置からの電話呼出であることを確認してもよいし、発呼側の特定することをなしにして電話呼出の有無を検知するようにしてもよい。
【産業上の利用可能性】
【００６２】
以上のように、本発明は、居住者が不在時に宅内に侵入者が入った場合、正確にかつ容易に検出し、検出後、居住者や警備会社、警察等へ通知することができる。これは宅内の防犯をおこなうシステム以外に、ビル、工場のような産業用途のセキュリティシステム等の用途にも適用できる。
【図面の簡単な説明】
【００６３】
【図１】本発明の実施の形態１の防犯システムの構成図
【図２】本発明の実施の形態１の防犯システムのフローチャート
【図３】従来の防犯システムにおける構成図
【符号の説明】
【００６４】
１００  通信制御装置
１１  検知手段
１２  通知手段
１３  呼出検知手段
１３１  回数判定手段
１３２  回数設定手段
１４  回線検出手段
１４１  暗証番号判定手段
１４２  暗証番号設定手段
１５  侵入者判定手段
１５１  比較判定手段
１Ａ  人感センサ（センサ）
２Ａ  公衆回線網
３Ａ  センター装置
４Ａ  電話機
５Ａ  電話線
【図１】
2006133943.tif 000003
【図２】
2006133943.tif 000004
【図３】
2006133943.tif 000005